(57)【要約】【課題】中吊り情報の提供に関して得られる情報を効率的に管理し、管理された情報を中吊り広告に反映させて雑誌の販売を促進させるなど、管理された情報を有効に活用することができる中吊り情報提供システムを提供することを目的とする。【解決手段】本発明の課題は、雑誌に掲載される記事の概要を示す中吊り情報を利用者側端末に提供する中吊り情報提供方法であって、上記中吊り情報の閲覧を要求した上記利用者側端末に上記中吊り情報を提供する中吊り情報提供手順と、上記中吊り情報が閲覧要求された回数を示すヒット情報を管理するヒット情報管理手順とを有する構成とされる。【選択図】        図１
2004295584.tif 000002
【特許請求の範囲】
【請求項１】
雑誌に掲載される記事の概要を示す中吊り情報を利用者側端末に提供する中吊り情報提供方法であって、
上記中吊り情報の閲覧を要求した上記利用者側端末に上記中吊り情報を提供する中吊り情報提供手順と、
上記中吊り情報が閲覧要求された回数を示すヒット情報を管理するヒット情報管理手順とを有することを特徴とする中吊り情報提供方法。
【請求項２】
上記中吊り情報提供手順は、上記雑誌に掲載される記事の目次情報の閲覧を要求した上記利用者側端末に上記目次情報を提供する目次情報提供手順を有し、
上記ヒット情報管理手順は、上記目次情報が閲覧要求された回数を示すヒット情報を管理することを特徴とする請求項１記載の中吊り情報提供方法。
【請求項３】
上記雑誌を出版する出版社の端末から、上記雑誌に関する情報を取得する雑誌情報取得手順と、
上記雑誌情報取得手順により取得された上記雑誌情報に基づいて、閲覧要求を識別可能とする形式で上記中吊り情報を生成する中吊り情報生成手順とを有することを特徴とする請求項１又は２記載の中吊り情報提供方法。
【請求項４】
上記ヒット情報管理手順は、上記ヒット情報を上記雑誌を出版する出版社の端末に提供するヒット情報提供手順を有することを特徴とする請求項１乃至３いずれか一項記載の中吊り情報提供方法。
【請求項５】
上記利用者側端末から上記中吊り情報提供手順により提供された上記中吊り情報をもとにして上記雑誌の購入要求があるとき、上記雑誌の購買手段を選択させる利用者購買手順を有することを特徴とする請求項１乃至４いずれか一項記載の中吊り情報提供方法。
【請求項６】
上記中吊り情報提供手順は、過去に出版された雑誌を検索し、検索結果を上記利用者側端末に提供する過去出版雑誌検索手順を有することを特徴とする請求項１乃至５いずれか一項記載の中吊り情報提供方法。
【請求項７】
雑誌に掲載される記事の概要を示す中吊り情報を利用者側端末に提供する中吊り情報提供方法における処理をコンピュータに行わせるプログラムであって、
上記中吊り情報の閲覧を要求した上記利用者側端末に上記中吊り情報を提供する中吊り情報提供手順と、
上記中吊り情報が閲覧要求された回数を示すヒット情報を管理するヒット情報管理手順とを有することを特徴とするプログラム。
【発明の詳細な説明】
【０００１】
【発明の属する技術分野】
本発明は、中吊り情報提供方法に係り、特に、利用者に雑誌の販売を促進する広告として、その雑誌に掲載される記事の概要を示す中吊り情報を利用者に提供するための中吊り情報提供方法に関する。
【０００２】
【従来の技術】
従来、雑誌等を出版する出版社では、その雑誌の売上を促進するために、電車などに中吊り広告を設置している。利用者は、その中吊り広告を見て興味のある雑誌を、書店など雑誌を販売している小売店で購入している。また、出版社では、過去に販売部数の多かった雑誌に対する中吊り広告の設置した場所や数、掲載記事の構成などを参考にして、今後出版する雑誌の中吊り広告を作成している。
【０００３】
例えば、従来技術として、複数の雑誌の雑誌名と共に、各雑誌に関する中吊り、表紙、又は目次それぞれについての見出し「中吊り」、「表紙」、及び「目次」が表示されたホームページが提供され、上記見出し部分にはその雑誌の中吊り、表紙及び目次のイメージのそれぞれが表示されたホームページにリンクが張られている（例えば、特許文献１参照）。
【０００４】
また、従来技術として、中吊り広告、看板、ビデオ等の広告情報提供サービスにおいて、情報受領者が広告されている実体に対し、興味を抱いた場所で、その実体についてのより詳しい情報が提供される（例えば、特許文献２参照）。
【０００５】
例えば、従来技術として、各種交通広告媒体において、知りたい広告媒体のそばにいなくても、その広告内容を詳しく知ることができるように、インターネット上に広告主のＵＲＬを掲載することにより広告主のサイトへリンクさせる（例えば、特許文献３参照）。
【０００６】
【特許文献１】
特開平９−１７１４８３号公報
【０００７】
【特許文献２】
特開平１１−６５４９４号公報
【０００８】
【特許文献３】
特開２００２−２３６７５号公報
【０００９】
【発明が解決しようとする課題】
しかしながら、従来の中吊り広告を見て雑誌を購入しようとする利用者が、実際に中吊り広告に表示されたどの記事に興味を抱いたのか、何人が中吊り広告を見たのか明確に確認することができなかった。同様に、上記従来技術においては、利用者により要求された中吊り広告を提供するのみで、所定の中吊り広告に表示されたどの記事に興味を抱いたのか、何人の利用者が閲覧したのかなど、中吊り広告の提供に関して得られる情報が有効に活用されていないという問題点があった。
【００１０】
また、出版社では、中吊り広告の提供に関して得られる情報を参考にして、中吊り広告の効果を他の雑誌の掲載記事や中吊り広告の構成に反映させ、雑誌の売上を促進させるのは難しいという問題点があった。
【００１１】
そこで、本発明の課題は、中吊り情報の提供に関して得られる情報を効率的に管理し、管理された情報を中吊り広告に反映したり、雑誌の編集に反映させて雑誌の販売を促進させるなど、管理された情報を有効に活用することができる中吊り情報提供システムを提供することである。
【００１２】
【課題を解決するための手段】
上記の課題を解決するため、本発明は、請求項１に記載されるように、雑誌に掲載される記事の概要を示す中吊り情報を利用者側端末に提供する中吊り情報提供方法であって、上記中吊り情報の閲覧を要求した上記利用者側端末に上記中吊り情報を提供する中吊り情報提供手順と、上記中吊り情報が閲覧要求された回数を示すヒット情報を管理するヒット情報管理手順とを有する構成とされる。
【００１３】
このような中吊り情報提供システムでは、雑誌に掲載される記事の概要を示す中吊り情報の閲覧を要求した利用者側端末に中吊り情報を提供し、中吊り情報が閲覧要求された回数を示すヒット情報を管理することにより、中吊り情報の提供に関して得られる情報を効率的に管理し、管理された情報を中吊り広告に反映したり、雑誌の編集に反映させて雑誌の販売を促進させるなど、管理された情報を有効に活用することができる。
【００１４】
雑誌の目次に関するヒット情報を管理するという観点から、本発明は、請求項２に記載されるように、上記中吊り情報提供手順は、上記雑誌に掲載される記事の目次情報の閲覧を要求した上記利用者側端末に上記目次情報を提供する目次情報提供手順を有し、上記ヒット情報管理手順は、上記目次情報が閲覧要求された回数を示すヒット情報を管理する構成としてもよい。
【００１５】
このような中吊り情報提供システムでは、雑誌に掲載される記事の目次情報の閲覧を要求した利用者に目次情報を提供し、目次情報が閲覧要求された回数を示すヒット情報を管理することにより、中吊り情報の提供に関して得られる情報を効率的に管理し、管理された情報を中吊り広告に反映したり、雑誌の編集に反映させて雑誌の販売を促進させるなど、管理された情報を有効に活用することができる。
【００１６】
利用者からの閲覧要求を識別可能とする中吊り情報を生成という観点から、本発明は、請求項３に記載されるように、上記雑誌を出版する出版社の端末から、上記雑誌に関する情報を取得する雑誌情報取得手順と、上記雑誌情報取得手順により取得された上記雑誌情報に基づいて、閲覧要求を識別可能とする形式で上記中吊り情報を生成する中吊り情報生成手順とを有する構成としてもよい。
【００１７】
このような中吊り情報提供システムでは、雑誌を出版する出版社の端末から、雑誌に関する情報を取得し、雑誌情報に基づいて、閲覧要求を識別可能とする形式で中吊り情報を生成することにより、中吊り情報の提供に関して得られる情報を効率的に管理し、管理された情報を中吊り広告に反映したり、雑誌の編集に反映させて雑誌の販売を促進させるなど、管理された情報を有効に活用することができる。
【００１８】
ヒット情報を中吊り広告に反映させるという観点から、本発明は、請求項４に記載されるように、上記ヒット情報管理手順は、上記ヒット情報を上記雑誌を出版する出版社の端末に提供するヒット情報提供手順を有する構成としてもよい。
【００１９】
このような中吊り情報提供システムでは、上記ヒット情報を雑誌を出版する出版社の端末に提供することにより、出版社ではヒット情報を中吊り広告に反映したり、雑誌の編集に反映させて雑誌の販売を促進させることができる。
【００２０】
利用者に購買手段を選択させるという観点から、本発明は、請求項５に記載されるように、上記利用者側端末から上記中吊り情報提供手順により提供された上記中吊り情報をもとにして上記雑誌の購入要求があるとき、上記雑誌の購買手段を選択させる利用者購買手順を有する構成としてもよい。
【００２１】
このような中吊り情報提供システムでは、利用者側端末から雑誌の購入要求があるとき、利用者側端末で購買手段が選択可能であることにより、雑誌の販売促進などに活用することができる。
【００２２】
中吊り情報に基づいて過去に出版した雑誌を検索するという観点から、本発明は、請求項６に記載されるように、上記中吊り情報提供手順は、過去に出版された雑誌を検索し、検索結果を上記利用者側端末に提供する過去出版雑誌検索手順を有する構成としてもよい。
【００２３】
このような中吊り情報提供システムでは、過去に出版された雑誌を検索し、検索結果を利用者側端末に提供することにより、中吊り情報に基づいて過去に出版した雑誌を検索し、利用者に検索結果を提供することができる。
【００２４】
また、上記課題を解決するため、本発明は、上記中吊り情報提供方法における処理をコンピュータに行わせるためのプログラム、及びそのプログラムを格納した記録媒体とすることもできる。
【００２５】
【発明の実施の形態】
以下、本発明の実施の形態を図面に基づいて説明する。
【００２６】
図１は、本発明の実施の一形態に係る中吊り情報提供システムにおける構成図である。図１において、中吊り情報提供システム１０は、雑誌の中吊り情報を管理する中吊り情報管理サーバー２０と、雑誌の中吊り情報を閲覧する利用者が所有する複数の利用者側端末３０と、雑誌を販売し、その雑誌に関する雑誌情報を提供する複数の出版社側端末４０とで構成されるシステムである。また、インターネット等の公衆回線網であるネットワーク１を介して中吊り情報管理サーバー２０と、利用者側端末３０と、出版社側端末４０とが接続される。
【００２７】
図１において、中吊り情報管理サーバー２０は、サーバーコンピュータであって、ＣＰＵ（中央処理装置）によって以下に示す各構成が制御される。ＣＰＵは、メモリユニットに格納されたプログラムに従って中吊り情報提供システム１０での処理を行う。この中吊り情報管理サーバー２０は、主に、出版社側端末４０から提供された雑誌に関する雑誌情報を取得する雑誌情報取得手段２１と、雑誌情報に基づいて雑誌に対する中吊り情報を生成する中吊り情報生成手段２２と、中吊り情報が利用者側端末３０から閲覧要求された回数を示すヒット情報を中吊り情報で管理するヒット情報管理手段２３と、利用者側端末３０からの閲覧要求に応じて中吊り情報を提供する中吊り情報提供手段２４と、出版社側端末４０からの要求に応じてヒット情報を提供するヒット情報提供手段２５と、利用者側端末３０からの要求に応じて過去に出版された雑誌を検索する過去出版雑誌検索手段２６と、複数の購入方法から利用者に所望の購入方法を選択させる利用者購買手段２７と、ヒット情報を含む中吊り情報が格納された中吊り情報データベース（以下ＤＢと呼ぶ）２００と、複数の購入方法及び利用者により雑誌の購入が行われた情報等が格納された購買情報ＤＢ２０１とで構成される。また、中吊り情報ＤＢ２００に格納されるテーブルについては図８で詳細に説明する。
【００２８】
尚、中吊り情報管理サーバー２０において、本発明の一実施例に係る中吊り情報提供システム１０での処理を実現するためのプログラムが記録された記録媒体（ＣＤ−ＲＯＭ等、コンピュータが読み取り可能な媒体（図示せず））から該プログラムを読み出し、その読み出されたプログラムを、例えば、補助記憶装置等にインストールし、中吊り情報提供処理が起動されると、補助記憶装置にインストールされた当該プログラムに従って、ＣＰＵがその処理を開始することも可能である。
【００２９】
雑誌情報取得手段２１は、各出版社側端末４０から雑誌に関する出版社、雑誌、記事毎の雑誌情報を取得し、中吊り情報生成手段２２に提供する。中吊り情報生成手段２２は、利用者が閲覧要求した中吊り情報の出版社、雑誌、記事を識別する中吊り情報を生成し、その中吊り情報を中吊り情報ＤＢ２００に格納する。ヒット情報管理手段２３は、利用者側端末３０からの中吊り情報の出版社、雑誌、記事毎の閲覧要求の回数を示すヒット情報を生成し、そのヒット情報を中吊り情報ＤＢ２００に格納された中吊り情報で管理する。中吊り情報提供手段２４は、利用者側端末３０からの閲覧要求に応じて中吊り情報を提供する。尚、利用者側端末３０に提供するホームページは、中吊り情報の雑誌を出版する出版社で運営されるホームページにリンクさせる表示設定にしてもよい。ヒット情報提供手段２５は、出版社側端末４０からの要求に応じて、中吊り情報ＤＢ２００に格納された中吊り情報のヒット情報を提供する。尚、ヒット情報を含む中吊り情報を提供するが、ヒット情報が識別可能な最低限の情報を付加したヒット情報を出版社側端末４０に提供するようにしてもよい。
【００３０】
過去出版雑誌検索手段２６は、利用者側端末３０からの要求に応じて、中吊り情報ＤＢ２００に格納された中吊り情報のヒット情報に基づいて、過去に出版された雑誌を検索する。また、過去出版雑誌検索手段２６は、検索結果を利用者側端末３０に提供する。利用者購買手段２７は、利用者側端末３０から閲覧した中吊り情報の雑誌を購入する要求がある場合、複数の購入方法から利用者に所望の購入方法を選択させ、購入した利用者に対する購入方法等を購買情報ＤＢ２０１に格納する。
【００３１】
上記中吊り情報提供システム１０では、中吊り情報を利用者側端末に提供し、利用者が閲覧要求を行った回数を示すヒット情報や購買情報を管理することにより、利用者に提供された中吊り情報の閲覧に関する情報を管理し、中吊り広告に反映させて雑誌の販売を促進させるなど、中吊り情報の提供に関して得られる情報を有効に活用することができる。
【００３２】
次に、中吊り情報管理サーバー２０での中吊り情報生成処理について説明する。図２は、中吊り情報生成処理におけるフローチャートを示す図である。先ず、図２に示すように、ステップＳ１０の処理で、中吊り情報管理サーバー２０の雑誌情報取得手段２１は、出版社側端末４０から雑誌に関する出版社、雑誌、記事毎の雑誌情報を取得する。ステップＳ１１の処理で、中吊り情報生成手段２２は、雑誌情報に基づいて出版社別、雑誌別、記事別に分類した中吊り情報を中吊り情報ＤＢ２００に格納する。ステップＳ１２の処理で、中吊り情報生成手段２２は、中吊り情報ＤＢ２００に格納された中吊り情報に基づいて、利用者が閲覧要求する中吊り情報の出版社、雑誌、記事を識別する中吊りホームページ、即ち、記事ヒット数のカウントが可能な中吊りホームページを作成し、中吊り情報ＤＢ２００に格納する。
【００３３】
次に、中吊り情報管理サーバー２０での中吊り情報提供処理について説明する。図３は、中吊り情報提供処理におけるフローチャートを示す図である。図３において、ステップＳ２０の処理で、過去出版雑誌検索手段２６は、利用者側端末３０から過去の出版雑誌の検索要求があるか否かを判断する。ステップＳ２０の処理で、過去の出版雑誌の検索要求がある場合、ステップＳ２２の処理で、過去出版雑誌検索手段２６は、過去の出版雑誌の検索を行う。ステップＳ２２の過去出版雑誌検索処理において、図４で詳細に説明する。ステップＳ２０の処理で、過去の出版雑誌の検索要求がない場合、ステップＳ２３の処理で、中吊り情報提供手段２４は、中吊り情報ＤＢ２００に格納されたホームページを利用者側端末３０に提供して中吊り情報を表示させる。ここで、利用者側端末３０に表示される中吊り情報の表示一覧画面については、図５で詳細に説明する。ステップＳ２４の処理で、中吊り情報提供手段２４は、利用者側端末３０で表示された中吊りホームページから中吊り情報が選択されたか否かを判断する。ステップＳ２４の処理で、利用者側端末３０で中吊り情報が選択された場合、ステップＳ２５の処理で、ヒット情報管理手段２３は、選択された中吊り情報に対して選択回数をカウントしたヒット情報、即ち、中吊り情報が閲覧要求された回数を示すヒット情報を中吊り情報ＤＢ２００に格納する。ステップＳ２６の処理で、中吊り情報提供手段２４は、中吊り情報ＤＢ２００に格納された該当する中吊り情報の記事概要を利用者側端末３０に提供して中吊り情報を表示させ、ステップＳ２０からの処理を繰り返す。
【００３４】
ステップＳ２４の処理で、利用者側端末３０で中吊り情報が選択されない場合、ステップＳ２７の処理で、中吊り情報提供手段２４は、利用者側端末３０で目次表示が選択されたか否かを判断する。ステップＳ２７の処理で、利用者側端末３０で目次表示が選択された場合、ステップＳ２８の処理で、ヒット情報管理手段２３は、選択された目次に対して選択回数をカウントしたヒット情報、即ち、目次が閲覧要求された回数を示すヒット情報を中吊り情報ＤＢ２００に格納する。ステップＳ２９の処理で、中吊り情報提供手段２４は、中吊り情報ＤＢ２００に格納された該当する中吊り情報の目次を利用者側端末３０に提供して目次を表示させ、ステップＳ２０からの処理を繰り返す。
【００３５】
ステップＳ２７の処理で、利用者側端末３０で目次表示が選択されなかった場合、ステップＳ３０の処理で、利用者購買手段２７は、利用者側端末３０で購入画面が選択されたか否かを判断する。ステップＳ３０の処理で、利用者側端末３０で購入画面が選択された場合、ステップＳ３１の処理で、利用者購買手段２７は、利用者側端末３０に購入画面を提供し、その購入画面から入力された利用者情報と購買情報を取得し、購買情報ＤＢ２０１に格納する。ステップＳ３０の処理で、利用者側端末３０で購入画面が選択されなかった場合、又はステップＳ３１の処理が終了した場合、ステップＳ３２の処理で、中吊り情報提供手段２４は、中吊り情報提供処理が終了したか否かを判断する。ステップＳ３２の処理で、中吊り情報提供処理が終了していない場合、ステップＳ２０からの処理を繰り返す。ステップＳ３３の処理で、中吊り情報提供処理が終了した場合、ステップＳ３３の処理で、ヒット情報提供手段２５は、中吊り情報ＤＢ２００に格納されたヒット情報、又はヒット情報が含まれる中吊り情報を出版社側端末４０に提供する。ステップＳ３４の処理で、利用者購買手段２７は、購買情報ＤＢ２０１に格納された購買情報を出版社側端末４０に提供する。
【００３６】
このように、雑誌の中吊り情報の閲覧を要求した利用者側端末に中吊り情報を提供すると共に、中吊り情報、中吊り情報で表示される記事概要及び目次が閲覧要求された回数を示すヒット情報を中吊り情報ＤＢ２００で管理することにより、中吊り情報の提供に関して得られる情報を効率的に管理し、管理された情報を出版社側端末４０に提供し、中吊り広告に反映させて雑誌の販売を促進させるなど、中吊り情報を有効に活用することができる。
【００３７】
次に、図３に示すステップＳ２２の過去出版雑誌検索処理について説明する。図４は、過去出版雑誌検索処理におけるフローチャートを示す図である。図４において、先ず、ステップＳ２２０の処理で、過去出版雑誌検索手段２６は、利用者側端末３０から入力されたキーワードや、遡る年などに基づいて、中吊り情報ＤＢ２００から対象となる記事を有する中吊り情報を検索する。ステップＳ２２１の処理で、過去出版雑誌検索手段２６は、該当記事の中吊り情報があるか否かを判断する。ステップＳ２２１の処理で、該当記事の中吊り情報がある場合、ステップＳ２２２の処理で、過去出版雑誌検索手段２６は、該当記事の各種情報を中吊り情報の一覧として利用者側端末３０に表示させる。ここで、利用者側端末３０に中吊り情報の一覧として表示される過去出版雑誌表示画面については、図６で詳細に説明する。また、ステップＳ２２１の処理で、該当記事の中吊り情報がない場合、ステップＳ２２８からの処理を行う。
【００３８】
ステップＳ２２３の処理で、過去出版雑誌検索手段２６は、選択された一つの記事に該当する中吊り情報を並べて利用者側端末３０に表示させる。ステップＳ２２４の処理で、過去出版雑誌検索手段２６は、利用者側端末３０で中吊り情報が選択されたか否かを判断する。ステップＳ２２４の処理で、利用者側端末３０で中吊り情報が選択された場合、ステップＳ２２５の処理で、過去出版雑誌検索手段２６は、選択された中吊り情報の記事概要を利用者側端末３０に表示させ、ステップＳ２２８からの処理を行う。ステップＳ２２４の処理で、利用者側端末３０で中吊り情報が選択されなかった場合、ステップＳ２２６の処理で、過去出版雑誌検索手段２６は、利用者側端末３０で目次表示を選択されたか否かを判断する。ステップＳ２２６の処理で、利用者側端末３０で目次表示を選択された場合、ステップＳ２２７の処理で、過去出版雑誌検索手段２６は、選択された中吊り情報の目次を利用者側端末３０に表示させる。
【００３９】
ステップＳ２２６の処理で、利用者側端末３０で目次表示を選択されなかった場合、ステップＳ２２８の処理で、過去出版雑誌検索手段２６は、利用者側端末３０で再び該当する記事を有する中吊り情報が検索されたか否かを判断する。ステップＳ２２８の処理で、利用者側端末３０で再び該当する記事を有する中吊り情報が検索された場合、ステップＳ２２０の処理を繰り返す。ステップＳ２２８の処理で、利用者側端末３０で再び該当する記事を有する中吊り情報が検索されなかった場合、ステップＳ２２９の処理で、過去出版雑誌検索手段２６は、検索結果である該当する記事の一覧が再び利用者側端末３０に表示されたか否かを判断する。ステップＳ２２９の処理で、検索結果である該当する記事の一覧が再び利用者側端末３０に表示された場合、ステップＳ２２２からの処理を繰り返す。ステップＳ２２９の処理で、検索結果である該当する記事の一覧が再び利用者側端末３０に表示されなかった場合、ステップＳ２３０の処理で、過去出版雑誌検索手段２６は、過去出版雑誌検索処理が終了されたか否かを判断する。ステップＳ２３０の処理で、過去出版雑誌検索処理が終了された場合、過去出版雑誌検索処理を終了し、図３に示すステップＳ３０からの処理を繰り返す。テップＳ２３０の処理で、過去出版雑誌検索処理が終了されなかった場合、ステップＳ２２３からの処理を繰り返す。
【００４０】
このように、利用者側端末３０から入力された検索条件に基づいて、中吊り情報ＤＢ２００に格納された中吊り情報から過去に出版された雑誌を検索し、利用者側端末３０に検索結果である過去に出版された雑誌の中吊り情報、中吊り情報の記事の概要や目次を提供することができる。
【００４１】
次に、図３に示すステップＳ２３の処理により、利用者側端末３０に表示される中吊り情報の表示一覧画面について説明する。図５は、中吊り情報の一覧表示画面を示す図である。図５において、中吊り表示一覧画面２０５は、中吊り情報管理サーバー２０から利用者側端末３０に提供される中吊り情報の一覧を示す画面である。中吊り表示一覧画面２０５には、表示する雑誌が発売される曜日を選択する選択域２０６と、中吊り情報のイメージの一覧が表示される表示域２０７とで構成される。例えば、選択域２０６には、雑誌の発売日が月曜日（図５では「月」）、火曜日（「火」）、水曜日〜日曜日（「水〜日」）から選択する項目を有し、図５に示す中吊り表示一覧画面２０５には、利用者側端末３０で選択された「月（月曜日）」の雑誌に対する中吊り情報の一覧が表示されている。表示域２０７には、所定の発売日に該当する雑誌の中吊り情報一覧が表示されている。各中吊り情報には、その雑誌の目次を表示させる目次表示欄２０８と、雑誌名、発売日、特集記事、各記事の概要などで構成されている。
【００４２】
従って、上記中吊り表示一覧画面２０５により、利用者が閲覧要求した中吊り情報が、その雑誌の出版社、雑誌、記事のいずれかであるかを識別することができ、出版社、雑誌、記事毎の閲覧要求の回数を示すヒット情報を管理することができる。
【００４３】
尚、中吊り情報に表示される記事は、記事の導入部分や、時事関連の用語を引用するなど、利用者がその雑誌に興味を抱くような記事であればよい。尚、中吊り表示一覧画面２０５に表示される中吊り情報の数や表示配置に限定されることなく、中吊り情報管理サーバー２０の管理者又は利用者により設定変更を行うようにしてもよい。
【００４４】
次に、図４に示すステップＳ２２２の処理により、利用者側端末３０に表示される過去出版雑誌表示画面について説明する。図６は、過去出版雑誌検索処理における表示画面を示す図である。図６において、過去出版雑誌表示画面２２０は、中吊り情報管理サーバー２０から利用者側端末３０に提供される過去に出版された雑誌の一覧を示す画面である。過去出版雑誌表示画面２２０には、該当する過去に出版された雑誌の中吊り情報の一覧が表示される表示域２２１を有する。表示域２２１には、各中吊り情報の発行年月日、週刊誌名、表紙に掲載されたモデルの名前、特集記事概要が表示される。例えば、利用者が過去に出版された雑誌２２２を選択すると、図５に示す中吊り情報表示と同様の構成で、過去に出版された雑誌の１雑誌分の中吊り情報が利用者側端末３０に表示される。
【００４５】
このように、過去に出版されたその雑誌の中吊り情報を検索し、利用者側端末３０に検索結果である過去出版雑誌表示画面２２０を提供することができる。
【００４６】
次に、出版社側端末４０から提供される雑誌情報について説明する。図７は、出版社側端末から提供される雑誌情報テーブルを示す図である。図７において、雑誌情報テーブル２１０は、出版社側端末４０から中吊り情報管理サーバー２０へ提供される雑誌情報の構成を示している。雑誌情報テーブル２１０は、雑誌を出版する出版社を識別する出版社コードを示す項目と、雑誌を識別する雑誌コードを示す項目と、雑誌の発行日を示す項目と、表紙に掲載されたモデルの名前を示す項目と、雑誌の目次を示す項目と、中吊り情報のイメージを示す項目と、雑誌に掲載される各記事（記事１〜Ｎ）の概要を示す項目とで構成されている。また、表紙モデル名項目は、過去出版雑誌検索処理で検索条件として用いることができる。
【００４７】
次に、中吊り情報管理サーバー２０の中吊り情報ＤＢ２００に格納される中吊り情報について説明する。図８は、中吊り情報ＤＢに格納されるテーブルを示す図である。図８において、テーブル２１１は、中吊り情報生成手段２２により出版社側端末４０から提供された雑誌情報と、利用者側端末３０から要求に応じたヒット情報とに基づいて生成される中吊り情報を示している。テーブル２１１は、雑誌の出版社名を示す項目と、出版社を識別する出版社コードを示す項目と、雑誌を識別する雑誌コードを示す項目と、雑誌名を示す項目と、雑誌の発行日を示す項目と、表紙に掲載されたモデルの名前を示す項目と、雑誌の目次を示す項目と、中吊り情報のイメージを示す項目と、雑誌に掲載される各記事の概要と、閲覧要求された回数を示すヒット回数情報２１２とで構成されている。
【００４８】
ヒット回数情報２１２は、ヒット情報管理手段２３により、利用者側端末３０からの閲覧要求に基づいて生成される情報である。ヒット回数情報２１２は、中吊り情報の各記事（記事１〜Ｎ）のヒット回数を示す項目と、中吊り記事の総ヒット回数を示す項目と、中吊り情報のヒット回数を示す項目と、雑誌の目次のヒット回数を示す項目とで構成されている。このヒット回数情報２１２に、出版社コード、雑誌コード等を付加した情報、又は、中吊り情報テーブル２１１をヒット情報として、ヒット情報提供手段２５により出版社側端末４０に提供する。尚、ヒット情報提供手段２５は、ヒット情報を出版社側端末４０のヒット情報の要求があるときや、所定期間経過後に提供するように設定することも可能である。
【００４９】
このように、本発明の中吊り情報提供システムにおいて、雑誌に掲載される記事の概要を示す中吊り情報の閲覧を要求した利用者側端末３０に中吊り情報ＤＢ２００に格納された該当する中吊り情報を提供し、利用者側端末３０により中吊り情報が閲覧要求された回数を示すヒット情報を中吊り情報で管理することにより、中吊り情報の提供に関して得られる情報を効率的に管理し、管理された情報を中吊り広告に反映させて雑誌の販売を促進させるなど、管理された情報を有効に活用することができる。
【００５０】
これまで、中吊り情報について説明してきたが、新聞などに、雑誌などの拡販の目的で作成される広告情報であっても同様であることは言うまでもない。
【００５１】
尚、上記の実施例は、複数の出版社の中刷り情報を１つの中刷り情報管理サーバー２０で管理する例であるが、別のシステム構成として、出版社が直接運用するシステム構成、つまり、出版社毎に中刷り情報管理サーバー２０を持って運用する構成でも良く、その場合、中刷り情報管理サーバー２０と出版社側端末４０が同じ出版社内のコンピュータシステムに接続される。また、この場合は、出版社を識別する情報は必ずしも必要としない。
【００５２】
【発明の効果】
上述の如く本発明によれば、雑誌に掲載される記事の概要を示す中吊り情報の閲覧を要求した利用者側端末に中吊り情報を提供し、中吊り情報が閲覧要求された回数を示すヒット情報を管理することにより、中吊り情報の提供に関して得られる情報を効率的に管理し、管理された情報を中吊り広告に反映させて雑誌の販売を促進させるなど、管理された情報を有効に活用することができる。
【図面の簡単な説明】
【図１】本発明の実施の一形態に係る中吊り情報提供システムにおける構成図である。
【図２】中吊り情報生成処理におけるフローチャートを示す図である。
【図３】中吊り情報提供処理におけるフローチャートを示す図である。
【図４】過去出版雑誌検索処理におけるフローチャートを示す図である。
【図５】中吊り情報の一覧表示画面を示す図である。
【図６】過去出版雑誌検索処理における表示画面を示す図である。
【図７】出版社側端末から提供される雑誌情報テーブルを示す図である。
【図８】中吊り情報ＤＢに格納されるテーブルを示す図である。
【符号の説明】
１                  ネットワーク
１０                中吊り情報提供システム
２０                中吊り情報管理サーバー
２１                雑誌情報取得手段
２２                中吊り情報生成手段
２３                ヒット情報管理手段
２４                中吊り情報提供手段
２５                ヒット情報提供手段
２６                過去出版雑誌検索手段
２７                利用者購買手段
３０                利用者側端末
４０                出版社側端末
２００              中吊り情報ＤＢ
２０１              購買情報ＤＢ
【図１】
2004295584.tif 000003
【図２】
2004295584.tif 000004
【図３】
2004295584.tif 000005
【図４】
2004295584.tif 000006
【図５】
2004295584.tif 000007
【図６】
2004295584.tif 000008
【図７】
2004295584.tif 000009
【図８】
2004295584.tif 000010